(57)【要約】【課題】  効率的に動力を発生する動力発生装置を提供する。【解決手段】  第１の磁石体１１の内周面２１ａ（正極）に向けて傾斜した第２の磁石体４５の第１の面４５ａ（負極）との間に強い吸引吸着力が生じる。当該吸引吸着力により、第１の面４５ａは内周面２１ａに近づこうとして車輪４１が矢印Ａの向きにレール７１上を走行し、回転体３１が矢印Ａの向きに強い回転力を得て回転する。回転体３１の回転軸３５の回転が、変換手段によって電気に変換される。【選択図】図１
2017108597.tif 000002
【特許請求の範囲】
【請求項１】
内周面が第１の磁極となっている第１の磁石体と、
前記第１の磁石体の内側に位置し、前記第１の磁石体の内周面の円の中心を通る回転軸を中心として回転する回転体と、
前記回転体の外周に沿って所定の角度間隔で設けられ、前記第１の磁極と逆の第２の磁極となる第１の面を備え、当該第１の面と前記第１の磁石体の前記内周面とが所定の鋭角を形成するように傾斜した複数の第２の磁石体と
を有し、
前記第１の磁石体の前記内周面と、前記第２の磁石体の前記第１の面との間に生じる磁力による吸引吸着力によって前記回転体に回転推進力を与える
を有する動力発生装置。
【請求項２】
前記第２の磁石体は直方体であり、
前記所定の鋭角は約６０〜７５度である
【請求項３】
前記回転体は、前記外周に沿って位置する複数の車両を有し、
前記車両は、前記第１の磁石体の前記内周面に設けられたレール上を走行する車輪と、前記第２の磁石体を固定するベースとを有する
請求項１または請求項２に記載の動力発生装置。
【請求項４】
前記回転体は、前記回転軸から前記第１の磁石体の前記内周面に向けて延在する複数の支持部を有し、前記支持部の先端に前記第２の磁石体が固定されている
請求項１〜３のいずれかに記載の動力発生装置。
【請求項５】
前記第１の磁石体は、前記内周面に沿って所定の角度間隔で配置された複数の同一形状の断面扇形の磁石部で構成される
請求項１〜４のいずれかに記載の動力発生装置。
【請求項６】
前記円周面に沿って隣接する２つの前記磁石部の間には隙間があり、前記車輪が前記レールを走行することで、前記第２の磁石体が前記隙間を通過する
請求項５に記載の動力発生装置。
【請求項７】
前記磁石部の少なくとも一つは、前記第２の磁石体が回転する経路から離れる向きに移動可能である
請求項６のいずれかに記載の動力発生装置。
【請求項８】
前記第２の磁石体の数と、前記第１の磁石体を構成する前記磁石部の数とは同じである
請求項５に記載の動力発生装置。
【請求項９】
前記第２の磁石体の数と、前記第１の磁石体を構成する前記磁石部の数とは異なる
請求項５に記載の動力発生装置。
【請求項１０】
前記回転体の前記回転軸の回転を電気に変換する変換手段
を有する請求項１〜９のいずれかに記載の動力発生装置。
【請求項１１】
内周面が所定の磁極となっている第１の磁石体と、
前記第１の磁石体の内側に位置し、前記第１の磁石体の内周面の円の中心を回転軸として回転する回転体と、
前記回転体の外周に沿って所定の角度間隔で設けられ、前記所定の磁極となる第１の面を備え、当該第１の面と前記第１の磁石体の前記内周面とが所定の鋭角を形成するように傾斜した複数の第２の磁石体と
を有する動力発生装置。
【請求項１２】
前記第１の磁石体および前記第２の磁石体を永久磁石である
請求項１〜１１のいずれかに記載の動力発生装置。
【発明の詳細な説明】
【技術分野】
【０００１】
本発明は、動力を効率的に発生する動力発生装置に関する。
【背景技術】
【０００２】
例えば、石油などの燃料を燃焼させて生じたエネルギを基に発電を行うシステムがある。
【特許文献１】特開２００６−４２５７１号公報
【発明の開示】
【発明が解決しようとする課題】
【０００３】
しかしながら、上述した従来のシステムでは、石油などを燃焼させることで、大量の二酸化炭素を排出するため、地球環境上、様々な問題を引き起こしている。
また、石油などの資源は有限である。従って、動力を効率的に発生する装置が期待されている。
【０００４】
本発明は、上述した従来技術に鑑みてなされ、効率的に動力を発生する動力発生装置を提供することを目的とする。
【課題を解決するための手段】
【０００５】
上述した目的を達成するために、第１の発明の動力発生装置は、内周面が第１の磁極となっている第１の磁石体と、前記第１の磁石体の内側に位置し、前記第１の磁石体の内周面の円の中心を通る回転軸を中心として回転する回転体と、前記回転体の外周に沿って所定の角度間隔で設けられ、前記第１の磁極と逆の第２の磁極となる第１の面を備え、当該第１の面と前記第１の磁石体の前記内周面とが所定の鋭角を形成するように傾斜した複数の第２の磁石体とを有し、前記第１の磁石体の前記内周面と、前記第２の磁石体の前記第１の面との間に生じる磁力による吸引吸着力によって前記回転体に回転推進力を与える。
【０００６】
磁石の反発力は架空であり、吸引吸着力が本質であることを発明者は見出した。当該発明では、前記第１の磁石体の前記内周面と、前記第２の磁石体の前記第１の面との間に生じる磁力による吸引吸着力によって回転推進力を発生させる。
すなわち、前記第２の磁石体の前記第１の面と前記第１の磁石体の前記内周面とが所定の鋭角を形成し、且つ、両者が異なる磁極であるため、両者の間には吸引吸着力が生じ、前記第２の磁石体は前記第１の面側から前記内周面に向けて倒れようとする。しかしながら、第２の磁石体は固定されているため、両者が近づくことは無く、当該倒れようとする力が第２の磁石体の回転推進力となる。
【０００７】
好適には本発明の動力発生装置の前記第２の磁石体は直方体であり、前記所定の鋭角は約６０〜７５度である。
【０００８】
好適には本発明の動力発生装置の前記回転体は、前記外周に沿って位置する複数の車両を有し、前記車両は、前記第１の磁石体の前記内周面に設けられたレール上を走行する車輪と、前記第２の磁石体を固定するベースとを有する。
【０００９】
好適には本発明の動力発生装置の前記回転体は、前記回転軸から前記第１の磁石体の前記内周面に向けて延在する複数の支持部を有し、前記支持部の先端に前記第２の磁石体が固定されている。
【００１０】
好適には本発明の動力発生装置の前記第１の磁石体は、前記内周面に沿って所定の角度間隔で配置された複数の同一形状の断面扇形の磁石部で構成される。
【００１１】
好適には本発明の動力発生装置は、前記円周面に沿って隣接する２つの前記磁石部の間には隙間があり、前記車輪が前記レールを走行することで、前記第２の磁石体が前記隙間を通過する。
【００１２】
好適には本発明の動力発生装置の前記磁石部の少なくとも一つは、前記第２の磁石体が回転する経路から離れる向きに移動可能である。
【００１３】
好適には本発明の動力発生装置の前記第２の磁石体の数と、前記第１の磁石体を構成する前記磁石部の数とは同じである。
【００１４】
好適には本発明の動力発生装置の前記第２の磁石体の数と、前記第１の磁石体を構成する前記磁石部の数とは異なる。
【００１５】
好適には本発明の動力発生装置の前記回転体の前記回転軸の回転を電気に変換する変換手段を有する。
【００１６】
第２の発明の動力発生装置は、内周面が所定の磁極となっている第１の磁石体と、前記第１の磁石体の内側に位置し、前記第１の磁石体の内周面の円の中心を回転軸として回転する回転体と、前記回転体の外周に沿って所定の角度間隔で設けられ、前記所定の磁極となる第１の面を備え、当該第１の面と前記第１の磁石体の前記内周面とが所定の鋭角を形成するように傾斜した複数の第２の磁石体とを有する。
【００１７】
好適には本発明の動力発生装置の前記第１の磁石体および前記第２の磁石体を永久磁石である。
【発明の効果】
【００１８】
本発明によれば、効率的に動力を発生する動力発生装置を提供することができる。
【図面の簡単な説明】
【００１９】
【図１】図１は、本発明の第１実施形態の動力発生装置の正面図である。
【図２】図２は、図１に示す動力発生装置の回転体が図１に示す回転位置から矢印Ａの向きに回転した状態示す正面図である。
【図３】図３は、図１に示す第２の磁石体の進行方向と直交する方向における回転体および第１の磁石体の断面図である。
【図４】図４は、図１および図２に示す状態から、回転体の回転を停止させるために、１つの磁石部を外側に移動した状態を説明するための図である。
【図５】図５は、本発明の第２実施形態の動力発生装置の正面図である。
【図６】図６は、本発明の第３実施形態の動力発生装置の正面図である。
【図７】図７は、図６に示す動力発生装置の変形例の正面図である。
【図８】図８は、本発明の第４実施形態の動力発生装置の正面図である。
【発明を実施するための最良の形態】
【００２０】
以下、本発明の実施形態に係わる動力発生装置について説明する。
＜第１実施形態＞
図１は、本発明の第１実施形態の動力発生装置１の正面図である。図２は、図１に示す動力発生装置１の回転体３１が図１に示す回転位置から矢印Ａの向きに回転した状態示す正面図である。
図３は、図１に示す第２の磁石体４５の進行方向と直交する方向における回転体３１および第１の磁石体１１の断面図である。
磁石部２１
【００２１】
図４は、図１および図２に示す状態から、回転体３１の回転を停止させるために、１つの磁石部２１を外側に移動した状態を説明するための図である。
【００２２】
図１および図２に示すように、動力発生装置１は、第１の磁石体１１、回転体３１、第２の磁石体４５を有する。
第１の磁石体１１および第２の磁石体４５は、永久磁石である。
【００２３】
第１の磁石体１１は、内周面２１ａが第１の磁極（正極Ｎ（＋））となっている。
第１の磁石体１１は、内周面２１ａに沿って所定の角度間隔で配置された複数の同一形状の断面扇形の磁石部２１で構成される。内周面２１ａには、周方向に２本のレール７１が設けられている。
図１および図２に示すように、動力発生装置１では、８つの磁石部２１によって第１の磁石体１１が構成されている。隣接する磁石部２１の間には、磁石が位置しない隙間２５が形成されている。
【００２４】
８つの磁石部２１の少なくとも一つは、第２の磁石体４５が回転する経路から離れる向きに移動可能である。本実施形態では、図４に示すように、１つの磁石部２１が外側に手動あるいはモータにより移動可能である。このように磁石部２１を移動させることで、回転体３１の回転を抑制あるいは停止できる。
【００２５】
回転体３１は、円筒状の第１の磁石体１１の内周面２１ａの内側に位置し、第１の磁石体１１の内周面２１ａの円の中心を通る回転軸３５を中心として回転する回転体３１を有する。
回転軸３５の回転は、図示しない変換手段によって電気に変換される。
【００２６】
回転体３１は、その外周に沿って位置する９つの車両４９を有する。車両４９は、第１の磁石体１１の内周面２１ａに設けられたレール７１上を走行する車輪４１と、第２の磁石体４５を固定するベース４３とを有する。
レール７１の高さは例えば２ｃｍである。
【００２７】
回転体３１は、回転軸３５から第１の磁石体１１の内周面２１ａに向けて延在する９つの支持部３７を有する。
支持部３７の先端に、ベース４３が固定され、ベース４３に第２の磁石体４５が固定されている。
【００２８】
第２の磁石体４５は、回転体３１の外周に沿って所定の角度間隔で設けられ、第１の磁極と逆の第２の磁極（負極Ｓ（−））となる第１の面４５ａを備え、当該第１の面４５ａと第１の磁石体１１の内周面２１ａとが所定の鋭角を形成するように傾斜している。
【００２９】
第２の磁石体４５は、直方体である。また、上記所定の鋭角は、例えば約６０〜７５度である。
そのため、逆磁極である第２の磁石体４５の第１の面４５ａと、第１の磁石体１１の内周面２１ａとが吸引吸着力により引き合う。
【００３０】
以下、図１〜図４に示す動力発生装置１の動作を説明する。
［回転動作］
例えば、１つの磁石部２１を図４に示す状態から図１に示す状態に移動する。すなわち、磁石部２１を第２の磁石体４５の回転経路に近づける。
これにより、第１の磁石体１１の内周面２１ａ（正極）と、それに向けて傾斜した第２の磁石体４５の第１の面４５ａ（負極）との間に強い吸引吸着力が生じる。
【００３１】
当該吸引吸着力により、第１の面４５ａは内周面２１ａに近づこうとするが、両者は固定されているため近づくことはなく、その力によって回転体３１が矢印Ａの向きに強い回転力を得る。これにより車輪４１がレール７１上を矢印Ａの向きに走行する。当該回転力は持続され、回転体３１は力強く回転する。
【００３２】
なお、動力発生装置１では、磁石部２１の隙間２５の数が８、第２の磁石体４５の数が９であるため、８つの隙間２５に、９つの第２の磁石体４５が全て対向して位置する状態は生じない。すなわち、１つの第２の磁石体４５が隙間２５に対向して位置した場合に、残りの８つの第２の磁石体４５は、磁石部２１に対向して位置し、いずれの回転角度においても矢印Ａの向きに強い回転推進力が生じる。
【００３３】
そして、回転体３１の回転軸３５の回転が、変換手段によって電気に変換される。
【００３４】
［停止動作］
図１および図２に示す状態から、図４に示すように、２つの磁石部２１が外側（回転軸３５から離れる向き）に手動あるいはモータにより移動する。
これにより、第２の磁石体４５が、当該外側に移動された磁石部２１の位置に達した時に、矢印Ａの向きの回転推進力が得られず、回転体３１の回転が制動されて停止する。
【００３５】
以上説明したように、動力発生装置１によれば、第１の磁石体１１の内周面２１ａ（正極）と、それに対して傾斜した第２の磁石体４５の第１の面４５ａ（負極）との間に強い吸引吸着力が生じる。当該吸引吸着力が、車輪４１をレール７１上を矢印Ａの向きに走行させる力、すなわち回転力になる。
【００３６】
また、動力発生装置１によれば、図４に示すように、１つの磁石部２１を外側に移動させることで、簡単な構成で、回転体３１の回転を停止させることができる。
【００３７】
＜第２実施形態＞
図５は、本発明の第２実施形態の動力発生装置２０１の正面図である。
図５に示すように、動力発生装置２０１は、第１実施形態と同様に、８つの磁石部２１によって第１の磁石体１１が構成されている。
【００３８】
動力発生装置２０１では、回転体３１は、９つの第２の磁石体４５が固定されているが、第１実施形態と異なり車輪４１はない。
そのため、ベース４３と第１の磁石体１１の内周面２１ａとの間には隙間が生じているが、第２の磁石体４５の第１の面４５ａと内周面２１ａとの間には第１実施形態と同様に吸引吸着力が生じ、回転軸３５は矢印Ａの向きに回転する。
【００３９】
本実施形態によっても、第１実施形態と同様の効果が得られる。また、本実施形態によれば、車輪４１が不要であるため、構成を簡単にできる。
【００４０】
＜第３実施形態＞
図６は、本発明の第３実施形態の動力発生装置３０１の正面図である。
図６に示すように、動力発生装置３０１は、第１実施形態と同様に、８つの磁石部２１によって第１の磁石体１１が構成されている。隣接する磁石部２１の間には、磁石が位置しない隙間２５が形成されている。
【００４１】
動力発生装置３０１では、回転体３１は、９つの第２の磁石体４５を有している。
第２の磁石体４５は、第１実施形態とは逆向きに傾斜している。そのため、第２の磁石体４５の第２の面４５ｂと内周面２１ａとの間には吸引吸着力が生じ、回転軸３５は矢印Ａとは逆の矢印Ｂの向きに回転する。
【００４２】
なお、図７に示すように、図６に示す動力発生装置の車輪４１を除いた構成にしてもよい。
【００４３】
＜第４実施形態＞
図８は、本発明の第４実施形態の動力発生装置４０１の正面図である。
図８に示すように、動力発生装置４０１は、８つの磁石部２１によって第１の磁石体１１が構成されている。
また、回転体３１の外周には、９つの第２の磁石体４５が設けられている。
【００４４】
本実施形態では、第２の磁石体４５は、回転体３１の外周に沿って所定の角度間隔で設けられ、第１の磁極と逆の第２の磁極（正極（＋））となる第１の面４５ａを備え、当該第１の面４５ａと第１の磁石体１１の内周面２１ａとが例えば４５度の角度を形成するように傾斜している。
【００４５】
本実施形態においても、１つの磁石部２１を第２の磁石体４５の回転経路に近づける。
これにより、第１の磁石体１１の内周面２１ａ（正極）に向けて傾斜した第２の磁石体４５の第１の面４５ａ（正極）との間に強い反発力が生じる。
当該反発力により、第１の面４５ａは内周面２１ａから離れようとして車輪４１が矢印Ａの向きに走行し、回転体３１が矢印Ａとは逆の矢印Ｂの向きに強い回転力を得て回転する。
当該回転力は持続され、回転体３１は力強く回転する。
そして、回転体３１の回転軸３５の回転が、変換手段によって電気に変換される。
【００４６】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
【００４７】
例えば、磁石部２１および第２の磁石体４５の数は特に限定されず任意である。
また、上述した実施形態では、図４に示すように、２つの磁石部２１を外側に移動させて回転体３１の回転を停止させる場合を例示したが、１つあるいは３つ以上の磁石部２１を外側に移動させて回転体３１を停止するようにしてもよい。
【００４８】
また、上述した実施形態では、回転体３１を反時計回りに回転させる場合を例示したが、第２の磁石体４５を支持部３７に対して逆向きに傾けることで回転体３１を時計回りに回転させてもよい。
【産業上の利用可能性】
【００４９】
本発明は、効率的に動力を発生する動力発生装置に適用できる。
【符号の説明】
【００５０】
１…動力発生装置、
１１…第１の磁石体
２１…磁石部
２１ａ…内周面
２５…隙間
３１…回転体
３５…回転軸
３７…支持部
４１…車輪
４３…ベース
４５…第２の磁石体
４５ａ…第１の面
７１…レール
【図１】
2017108597.tif 000003
【図２】
2017108597.tif 000004
【図３】
2017108597.tif 000005
【図４】
2017108597.tif 000006
【図５】
2017108597.tif 000007
【図６】
2017108597.tif 000008
【図７】
2017108597.tif 000009
【図８】
2017108597.tif 000010